(57)【要約】【課題】  診断結果に変化があった検査について、その内容をユーザに告知することが可能な検査マネージメントシステム及び検査マネージメント方法を提供すること。【解決手段】  検査に関して実施した医療行為の実施内容に関する情報および上記医療行為についてのレポートに関する情報を含む実施済情報を入力する実施済情報入力手段と、上記実施済情報入力手段によって入力された実施済情報を格納する実施済情報格納手段と、同一患者の同一検査を示す情報をキーとして、上記実施済情報格納手段から上記レポートに関する実施済情報を取得する実施済情報取得手段と、上記実施済情報取得手段によって取得した複数のレポートをそれぞれ相互に比較するレポート比較手段と、上記比較手段によって比較した結果を表示するレポート比較結果表示手段とを備える。【選択図】      図１
2005160661.tif 000002
【特許請求の範囲】
【請求項１】
検査に関して実施した医療行為の実施内容に関する情報および前記医療行為についてのレポートに関する情報を含む実施済情報を入力する実施済情報入力手段と、
前記実施済情報入力手段によって入力された実施済情報を格納する実施済情報格納手段と、
同一患者の同一検査を示す情報をキーとして、前記実施済情報格納手段から前記レポートに関する実施済情報を取得する実施済情報取得手段と、
前記実施済情報取得手段によって取得した複数のレポートをそれぞれ相互に比較するレポート比較手段と、
前記比較手段によって比較した結果を表示するレポート比較結果表示手段と、
を備えたことを特徴とする検査マネージメントシステム。
【請求項２】
前記レポートは、診断用語を含むことを特徴とする請求項１記載の検査マネージメントシステム。
【請求項３】
検査に関して実施した医療行為の実施内容に関する情報を含む実施済情報を入力する実施済情報入力手段と、
前記実施済情報入力手段によって入力された実施済情報を格納する実施済情報格納手段と、
診断用語をキーとして、前記実施済情報格納手段から前記実施済情報を取得する実施済情報取得手段と、
前記実施済情報取得手段によって取得した実施済情報に対して、前記診断用語についての比較判定を行う診断比較判定手段と、
前記診断比較判定手段によって比較判定された実施済情報に基づいて、正診率を統計処理する正診率統計処理手段と、
前記正診率統計処理手段によって統計処理された正診率を表示する処理結果表示手段と、
を備えたことを特徴とする検査マネージメントシステム。
【請求項４】
検査に関して実施した医療行為の実施内容に関する情報および前記医療行為についての診断用語に関する情報を含む実施済情報を入力する実施済情報入力手段と、
前記実施済情報入力手段によって入力された実施済情報を格納する実施済情報格納手段と、
任意の条件をキーとして、前記実施済情報格納手段から前記実施済情報を取得する実施済情報取得手段と、
前記実施済情報取得手段によって取得した実施済情報に対して、前記診断用語についての統計処理を実行する診断統計処理手段と、
前記診断統計処理手段によって統計処理された結果を表示する診断統計処理結果表示手段と、
を備えたことを特徴とする検査マネージメントシステム。
【請求項５】
検査に関して実施した医療行為の実施内容に関する情報および前記医療行為についてのレポートに関する情報を含む実施済情報を入力するステップと、
前記入力された実施済情報を実施済情報データベースに格納するステップと、
同一患者の同一検査を示す情報をキーとして、前記実施済情報データベースから前記レポートに関する実施済情報を取得するステップと、
前記取得した複数のレポートをそれぞれ相互に比較するステップと、
前記比較した結果を表示するステップと、
を備えたことを特徴とする検査マネージメント方法。
【請求項６】
前記レポートは、診断用語を含むことを特徴とする請求項５記載の検査マネージメント方法。
【請求項７】
検査に関して実施した医療行為の実施内容に関する情報を含む実施済情報を入力するステップと、
前記入力された実施済情報を実施済情報データベースに格納するステップと、
診断用語をキーとして、前記実施済情報データベースから前記実施済情報を取得するステップと、
前記取得した実施済情報に対して、前記診断用語についての比較判定を行うステップと、
前記比較判定された実施済情報に基づいて、正診率を統計処理するステップと、
前記統計処理された正診率を表示するステップと、
を備えたことを特徴とする検査マネージメント方法。
【請求項８】
検査に関して実施した医療行為の実施内容に関する情報および前記医療行為についての診断用語に関する情報を含む実施済情報を入力するステップと、
前記入力された実施済情報を実施済情報データベースに格納するステップと、
任意の条件をキーとして、前記実施済情報データベースから前記実施済情報を取得するステップと、
前記取得した実施済情報に対して、前記診断用語についての統計処理を実行するステップと、
前記統計処理された結果を表示するステップと、
を備えたことを特徴とする検査マネージメント方法。
【発明の詳細な説明】
【技術分野】
【０００１】
本発明は、電子内視鏡装置等の検査装置を管理する検査マネージメントシステム及び検査マネージメント方法に関する。
【背景技術】
【０００２】
従来、内視鏡検査のワークフローに沿った情報の入力および参照が可能なシステムが存在しており、この従来のシステムでは、検査の実施情報の入力が可能で、入力された実施情報を会計処理に活用することが可能となっている（例えば、特許文献１参照。）。
また、上記従来のシステムにおいては、レポートの入力において、記録した画像のうち、特徴的な画像を、検査の結果を示す代表画像として、レポート情報に添付する（レポート入力画面でレポート情報と同時に画像を表示する）ことが可能となっている。また、どの臓器（部位）で撮影したのかを示すために、別途、シェーマ図上に位置を入力することができるようになっている。
【特許文献１】特開２００２−７３６１５号公報
【発明の開示】
【発明が解決しようとする課題】
【０００３】
特許文献１に示すように、従来から内視鏡検査のワークフローに沿った情報の入力および参照が可能なシステムが存在しており、このような従来の技術では、検査の実施情報やレポートの入力が可能で、後に、蓄積された実施情報やレポート情報を取り出し活用することが期待されている。
【０００４】
しかしながら、上記従来例では、診断結果が変わったとしても、入力した実施情報やレポート情報のデータを活用して、診断結果が変わったことによるユーザへの告知することができないと問題点があった。
また、診断の正診率を統計処理し、様々な角度から正診率を向上するために必要な分析データを表示することができないという問題点があった。
【０００５】
また、手術後にフォローアップ検査を行うことがあるが、手術の種類によっては病変が再発するケースがあり、その分析を行う手段がないという問題点があった。
また、手術を選択する際に、判断材料として、過去の術後のフォローアップ検査での診断病名のデータを表示できるシステムがないという問題点があった。
【０００６】
本発明は、上記事情に鑑みてなされたもので、診断結果に変化があった検査について、その内容をユーザに告知することが可能な検査マネージメントシステム及び検査マネージメント方法を提供することを目的としている。
また、本発明は、様々なパラメーターの正診率をグラフ化して、正診率の向上の分析をすることが可能な検査マネージメントシステム及び検査マネージメント方法を提供することを目的としている。
【０００７】
また、本発明は、手術を決定する判断材料として、手術後の診断病名の統計処理したデータを参照することが可能な検査マネージメントシステム及び検査マネージメント方法を提供することを目的としている。
【課題を解決するための手段】
【０００８】
本発明は、上記課題を解決するため、下記のような構成を採用した。
すなわち、本発明の一態様によれば、本発明の検査マネージメントシステムは、検査に関して実施した医療行為の実施内容に関する情報および上記医療行為についてのレポートに関する情報を含む実施済情報を入力する実施済情報入力手段と、上記実施済情報入力手段によって入力された実施済情報を格納する実施済情報格納手段と、同一患者の同一検査を示す情報をキーとして、上記実施済情報格納手段から上記レポートに関する実施済情報を取得する実施済情報取得手段と、上記実施済情報取得手段によって取得した複数のレポートをそれぞれ相互に比較するレポート比較手段と、上記比較手段によって比較した結果を表示するレポート比較結果表示手段とを備えたことを特徴とする。
【０００９】
また、本発明の検査マネージメントシステムは、上記レポートが、診断用語を含むことが望ましい。
また、本発明の一態様によれば、本発明の検査マネージメントシステムは、検査に関して実施した医療行為の実施内容に関する情報を含む実施済情報を入力する実施済情報入力手段と、上記実施済情報入力手段によって入力された実施済情報を格納する実施済情報格納手段と、診断用語をキーとして、上記実施済情報格納手段から上記実施済情報を取得する実施済情報取得手段と、上記実施済情報取得手段によって取得した実施済情報に対して、上記診断用語についての比較判定を行う診断比較判定手段と、上記診断比較判定手段によって比較判定された実施済情報に基づいて、正診率を統計処理する正診率統計処理手段と、上記正診率統計処理手段によって統計処理された正診率を表示する処理結果表示手段とを備えたことを特徴とする。
【００１０】
また、本発明の一態様によれば、本発明の検査マネージメントシステムは、検査に関して実施した医療行為の実施内容に関する情報および上記医療行為についての診断用語に関する情報を含む実施済情報を入力する実施済情報入力手段と、上記実施済情報入力手段によって入力された実施済情報を格納する実施済情報格納手段と、任意の条件をキーとして、上記実施済情報格納手段から上記実施済情報を取得する実施済情報取得手段と、上記実施済情報取得手段によって取得した実施済情報に対して、上記診断用語についての統計処理を実行する診断統計処理手段と、上記診断統計処理手段によって統計処理された結果を表示する診断統計処理結果表示手段とを備えたことを特徴とする。
【００１１】
また、本発明の一態様によれば、本発明の検査マネージメント方法は、検査に関して実施した医療行為の実施内容に関する情報および上記医療行為についてのレポートに関する情報を含む実施済情報を入力するステップと、上記入力された実施済情報を実施済情報データベースに格納するステップと、同一患者の同一検査を示す情報をキーとして、上記実施済情報データベースから上記レポートに関する実施済情報を取得するステップと、上記取得した複数のレポートをそれぞれ相互に比較するステップと、上記比較した結果を表示するステップとを備えたことを特徴とする。
【００１２】
また、本発明の検査マネージメント方法は、上記レポートが、診断用語を含むことが望ましい。
また、本発明の一態様によれば、本発明の検査マネージメント方法は、検査に関して実施した医療行為の実施内容に関する情報を含む実施済情報を入力するステップと、上記入力された実施済情報を実施済情報データベースに格納するステップと、診断用語をキーとして、上記実施済情報データベースから上記実施済情報を取得するステップと、上記取得した実施済情報に対して、上記診断用語についての比較判定を行うステップと、
上記比較判定された実施済情報に基づいて、正診率を統計処理するステップと、上記統計処理された正診率を表示するステップとを備えたことを特徴とする。
【００１３】
また、本発明の一態様によれば、本発明の検査マネージメント方法は、検査に関して実施した医療行為の実施内容に関する情報および上記医療行為についての診断用語に関する情報を含む実施済情報を入力するステップと、上記入力された実施済情報を実施済情報データベースに格納するステップと、任意の条件をキーとして、上記実施済情報データベースから上記実施済情報を取得するステップと、上記取得した実施済情報に対して、上記診断用語についての統計処理を実行するステップと、上記統計処理された結果を表示するステップとを備えたことを特徴とする。
【発明の効果】
【００１４】
本発明によれば、診断結果に変化があった検査について、診断結果が記されたレポートにおいて診断結果が変わったことを確認できるため、診断結果の変更があった患者を即座に発見することができ、その後の診察をフォローし易いという効果がある。
また、本発明によれば、様々なパラメーターの正診率を表示することができるので、正診率が向上したこと等の分析が容易に行えるという効果がある。
【００１５】
また、本発明によれば、手術後の患者の診断病名を統計として参照し分析することができるようになり、さらに過去のデータを参照し手術の方法を決定できるという効果がある。
【発明を実施するための最良の形態】
【００１６】
以下、図面を参照しながら本発明の実施の形態について述べる。
図１乃至図４１は、第１の実施の形態を説明するための図である。
図１は、本第１の実施の形態の内視鏡検査マネージメントシステムのハードウェア構成を示す図である。
【００１７】
図１において、本内視鏡検査マネージメントシステムは主に、院内の他部門とのデータ交換を行うためのＧＷ（ゲートウエイ）１と、検査の受付を行うための受付端末２と、検査を実施する入力／検査端末３と、画像や各種情報の表示・入力を行う検索端末４と、データの記録を行うサーバ５とから構成され、各装置は、ＨＵＢ７により分配されたネットワーク（ＬＡＮ）により接続されている。
【００１８】
また各装置は、基本的構成として、パソコン８、ＰＣモニタ９、キーボード１０、マウス１１を搭載しており、パソコン８に搭載されているＬＡＮカード１８を経由してネットワークに接続している。
ＧＷ１は、上記基本構成に加え、ＵＰＳ（無停電電源）１５を備え、不意な停電時等に対応可能となっている。
【００１９】
受付端末２は、上記基本構成に加え、磁気カードリーダー１２を備えている。この受付端末は、検査の受付業務に使用されるため、部門内の受付窓口等に設置される。
入力／検査端末３は、上記基本構成に加え、磁気カードリーダー１２、圧縮伸張装置１３とを備え、圧縮伸張装置１３は、電子内視鏡装置１４と映像ケーブルと通信ケーブルを介して接続されている。また、圧縮伸張装置１３は、パソコン８内に搭載されたＩ／Ｆカード１９を経由してパソコン８と接続されている。この入力／検査端末は、検査時に使用されるため、検査室内に設置される。
【００２０】
検索端末４は、上記基本構成のみを備える。おもに、カンファレンス業務に使用されるため、カンファレンス室等に設置される。
サーバ５は、上記基本構成に加え、ＵＰＳ１５を備え、不意な停電時等に対応可能となっている。
【００２１】
なお、電子内視鏡装置１４は、一版に知られている電子内視鏡装置に同様であり詳細には図示しないが、電子内視鏡と映像信号を処理・出力するためのプロセッサ装置とからなる。電子内視鏡は、体内へ挿入するための細長の挿入部とこの挿入部の後端に設けられた操作部とを有し、操作部にはレリーズ指示を行うレリーズスイッチが設けられており、このレリーズスイッチの押操作により画像の記録が可能となっている。
【００２２】
図２は、本内視鏡検査マネージメントシステムのソフトウェア構成を示す図である。
図２において、各装置内のハードディスク内には、各種のアプリケーションソフト、データベース等がインストールされ、動作するようになっている。
ＧＷ１上では、ＧＷアプリケーションソフト２０が動作する。
【００２３】
サーバ５上のハードディスク２４では、データベース２１が動作し、また、入力／検査端末３で撮像された圧縮画像２２および検査のレポート情報２３が記録保存される。
受付端末２および検索端末４のソフトウェア構成は共通となっており、これらの装置上では、メインアプリケーションソフト２７が動作する。メインアプリケーションソフト２７は主に、検査業務ＤＬＬ（ダイナミックリンクライブラリ）２９、カンファレンスＤＬＬ３０、統計・履歴ＤＬＬ３１、管理機能ＤＬＬ２８からなる。また、ハードディスク３５内には、圧縮画像３６が一時保存可能である。
【００２４】
上記のように、受付端末２および検索端末４のソフトウェア構成は共通である。よって、違いは、何処に設置されるかによって使用目的が異なるのみであるといってよい。
ただし、入力／検査端末３のみは、画像記録／圧縮用の圧縮伸張装置１３が接続され、検査にて画像の撮像が実施可能になっている点で異なる。この圧縮伸張装置１３上では、圧縮伸張装置プログラム３７が動作し、圧縮伸張装置１３内のメモリには、圧縮画像３８が一時保存可能である。また、圧縮伸張装置１３は、電子内視鏡装置１４と接続される。
【００２５】
次に、本内視鏡検査マネージメントシステムの動作について説明する。
先ず、検査に関する情報であり、また、本システムで管理する対象となる情報の種類について説明する。
本システムが管理する情報には、主に、以下１〜４の種類がある。
１．患者情報
・ 患者基本情報
１人の患者を特定するための情報であり、「患者ＩＤ」「氏名」「生年月日」「性別」等からなる。「患者ＩＤ」は、各患者を識別できるように患者に一意に対応した番号である。
・ 患者プロフィール情報
患者の特性や状態を表す情報であり、「血液型」「身長／体重」「アレルギー」「障害」「感染症」「疾患、注意事項」「検体検査結果」「前投薬情報」等からなる。
２．検査依頼情報
他の診療科から内視鏡部門に対して検査依頼が行われる場合の検査の依頼（オーダー）に関する情報である。オーダーキー情報（「オーダー番号」「発生日時」等）、依頼元情報（「依頼科名」「依頼医師名」「依頼日」等）、オーダー情報（「依頼病名」「検査目的」「検査種別」「検査項目」「検査部位」「コメント」「シェーマ画像」等）、検査予約情報（「検査日」「実施時刻」等）、等からなり、これらは、ＨＩＳ（ホスピタルインフォメーションシステム）から、部門システムに対して送信される情報である。オーダーキー情報は、１つの検査オーダーを一意に特定するための情報である。
３． 検査実施情報（会計情報）
検査の実施内容に関する情報であり、「実施日時」「実施者」「実施場所」、「手技」「薬品」「器材」等からなる。実施した「手技」や、使用した「薬品」「器材」等の情報は、会計の際に使用される情報である。これらの情報は、内視鏡部門のシステムからＨＩＳへ送信され、ＨＩＳの会計システムにて処理がなされる。
４． 検査結果情報（報告、レポート情報）
検査結果に関する情報であり、検査依頼に対しての報告（レポート）となる情報である。「報告日」「報告者」「診断」「所見」「処置」「コメント」「検査後注意・指示」「画像」「シェーマ画像」等からなり、これらの情報は、内視鏡部門内の医療用画像ファイリングシステムにて参照できるのに加え、本システムからＨＩＳへ送信されることで、各部門システムにおいても参照が可能である。よって、検査依頼を行った部門での検査結果（報告）の参照が可能である。
【００２６】
次に、各機能の画面の遷移について説明する。
＜システム起動・終了＞
図３は、システム起動・終了における遷移を表す図であり、図４は、システム起動・終了画面１０１を示す図である。
【００２７】
メインアプリケーションソフト２７のＤＬＬ２８〜３１に相当する検査業務アイコン５２、カンファレンスアイコン５３、統計・履歴アイコン５４、管理機能アイコン５５を選択し、ユーザＩＤとパスワードを入力、ログインすると、各機能が起動できる形となっている。
【００２８】
図５は、サーバ５内のデータベース２１に管理されているテーブル／マスタの構成を示す図である。
ユーザＩＤおよびパスワードは、スタッフマスタ５６上に管理されており、入力されたユーザＩＤおよびパスワードと比較し、差異がなければ、認証できたものとして、各機能を起動する。尚、ユーザＩＤは、コンボボックス等での選択入力ではなく、直接ＩＤ番号の入力が可能であり、選択の煩わしさが軽減されるようになっている。また、終了ボタン６５を選択することで、システムの終了が行われる。
【００２９】
図６は、検査業務アイコン５２を選択し、検査業務メイン画面５８が起動した図である。
画面左に、検査業務に対応したアイコンが並べられ、選択を行うことで、各画面が起動するようになっている。患者受付アイコン５９、前処置入力アイコン６０、撮影アイコン６１、実施入力アイコン６２、レポート入力アイコン６３、検査状況一覧アイコン６４、検査オーダーボタン１００がある。
【００３０】
図７ないし図９は、検査業務メイン画面における遷移を表した図である。
＜患者受付＞
患者受付アイコン５９を選択することにより、未到着一覧画面７５が起動する。
図１０は、未到着一覧画面６０を示す図である。
【００３１】
本画面では、データベース２１内の検査テーブル６５に管理される検査の状態および患者マスタ６６を参照することにより、未受付の患者のみの一覧６７を表示することができる。未受付一覧６７のうちの１つを選択することで表示されるメニューを選択することで、その検査に対して、オーダー詳細確認画面６８、検査中止画面６９、ワークシート印刷画面７０を開くことができる。
【００３２】
図１１は、到着患者一覧画面７２を示す図である。
また、未到着一覧画面６０から、到着患者一覧ボタン７１を押すことで、図１１に示すような到着患者一覧画面７２を起動することができる。逆に、到着患者一覧画面７２上の未到着患者一覧ボタン７４を押すことで、未到着一覧画面６０を開くこともできる。
【００３３】
到着患者一覧画面には、受付済みの到着患者の一覧７３が表示されている。到着患者一覧７３は、データベース２１内の検査テーブルを参照することで、検査状態が、受付済みの検査のみを表示することができる。
＜前処置入力＞
図１２は、前処理未登録一覧画面７６を示す図である。
【００３４】
前処置入力アイコン６０を選択することにより、図１２に示すような前処置未登録一覧画面７６が起動する。前処置未登録一覧画面７６は、前処置が未登録である検査の一覧７７が表示可能である（データベース２１内の検査テーブル６５を参照することで、受付済みかつ前処置の登録が未の状態である検査の一覧が表示できる。）。
【００３５】
前処置未登録一覧７７のうちの１つを選択することで表示されるメニューを選択することで、その検査に対して、オーダー詳細確認画面６８、検査中止画面６９、ワークシート印刷画面７０を開くことができるとともに、前処置画面７８を開くことができる。
また、未到着一覧画面６０と到着済み一覧画面７２と の遷移と同様に、前処置未登録一覧画面７６と前処置登録済み一覧画面７９との切り替えを、処置済み患者一覧ボタン８０（未処置患者一覧ボタン）を押すことで、実行することができる。
＜撮影＞
図１３は、未撮影一覧画面８１を示す図である。
【００３６】
撮影アイコン６１を選択することにより、図１３に示すような未撮影一覧画面８１が起動する。未撮影一覧画面８１は、撮影が未である検査の一覧８２が表示可能である（データベース２１内の検査テーブル６５を参照することで、受付済みかつ撮影が未の状態である検査の一覧が表示できる。）。
【００３７】
未撮影一覧８１のうちの１つを選択することで表示されるメニューを選択することで、その検査に対して、オーダー詳細確認画面６８、検査中止画面６９、ワークシート印刷画面７０を開くことができるとともに、撮影画面８３を開くことができる。
また、ＭＯ取り込み画面を開くことで、撮影する替わりに、ＭＯに入れた画像データの登録を行うことができる。また、未到着一覧画面６０と到着済み一覧画面７２と の遷移と同様に、未撮影一覧画面８１と撮影済み一覧画面８５との切り替えを、撮影済み患者一覧ボタン８６（未撮影患者一覧ボタン）を押すことで、実行することができる。
＜実施入力＞
図１４は、実施未送信一覧画面８７を示す図である。
【００３８】
実施入力アイコン６２を選択することにより、図１４に示すような実施未送信一覧画面８７が起動する。
実施未送信一覧画面８７は、実施送信が未である検査の一覧８８が表示可能である（データベース２１内の検査テーブル６５を参照することで、撮影済みかつ実施情報の登録が未の状態である検査の一覧が表示できる。）。
【００３９】
実施未送信一覧８８のうちの１つを選択することで表示されるメニューを選択することで、その検査に対して、オーダー詳細確認画面６８、ワークシート印刷画面７０を開くことができるとともに、実施画面８９を開くことができる。
また、未到着一覧画面６０と到着済み一覧画面７２ との遷移と同様に、実施未送信一覧画面８７と実施登録済み一覧画面９０との切り替えを、送信済み検査一覧ボタン９１（未送信検査一覧ボタン）を押すことで、実行することができる。
＜レポート入力＞
図１５は、レポート未送信一覧画面９２を示す図である。
【００４０】
レポート入力アイコン６３を選択することにより、図１５に示すようなレポート未送信一覧画面９２が起動する。
レポート未送信一覧画面９２は、レポート送信が未である検査の一覧９３が表示可能である（データベース２１内の検査テーブル６５を参照することで、撮影済みかつレポート情報の登録が未の状態である検査の一覧が表示できる。）。
【００４１】
レポート未送信一覧９３のうちの１つを選択することで表示されるメニューを選択することで、その検査に対して、オーダー詳細確認画面６８、または、レポート画面９４を開くことができる。
また、未到着一覧画面６０と到着済み一覧画面７２と の遷移と同様に、レポート未送信一覧画面９２とレポート登録済み一覧画面９５との切り替えを、送信済み検査一覧ボタン９６（未送信検査一覧ボタン）を押すことで、実行することができる。
＜検査状況一覧＞
図１６は、検査状況一覧画面９７を示す図である。
【００４２】
検査状況一覧アイコン６４を選択することにより、図１６に示すような検査状況一覧画面９７が起動する。
検査状況一覧画面９７は、各検査の状況一覧９８が表示可能である（データベース２１内の検査テーブル６５を参照することで、各検査の状態を取得し、一覧表示ができる。）。
【００４３】
また、検査状況一覧９８のうちの１つを選択することで表示されるメニューを選択することで、その検査に対して、オーダー詳細確認画面６８、検査中止画面６９、前処置画面７８、実施入力画面８９、撮影画面８３、レポート画面９４、ワークシート印刷画面７０を開くことができる。
【００４４】
また、一覧表印刷ボタン９９を押すことで、検査状況基地欄画面９７に表示されている検査状況一覧の印刷を行うことができる。
＜検査オーダー＞
図１７は、部門内オーダー登録画面１０１を示す図である。
【００４５】
検査オーダーボタン１００を押すことで、図１７に示すような部門内オーダー登録画面１０１が起動する。
部門内オーダー登録画面１０１は、ＨＩＳからのオーダー情報を受信できない場合に、自システムの中で検査オーダーを発行するために使用する。患者情報（患者ID、患者名、生年月日、性別、入院／外来区分）１０２、および検査情報（検査予定日、検査予定時間、検査種別、検査項目、依頼病名、検査理由、依頼時コメント）１０３、等が入力でき、登録ボタン１０４を押すことで、入力した情報が検査のオーダーとしてデータベース２１内に登録される。患者情報１０２は、患者マスタ６６に、検査情報１０３は、オーダー情報テーブル５７にそれぞれ管理される。
【００４６】
次に、検査の流れに沿って、動作を説明する。
図１８は、検査の流れを示すフローチャートである。
＜ステップ１（Ｓ１）＞
他の診療科から、内視鏡部門への検査依頼が発生すると、ＨＩＳから患者情報（患者基本情報、患者プロフィール情報）と、検査依頼情報（オーダー情報、依頼元情報、検査予約情報）が送信され、本システムがこれらの情報を受信する。詳しくは、ＧＷ１上のＧＷアプリケーションソフト２０がＨＩＳからの情報を受信し、データベース２１内の検査テーブル６５、患者マスタ６６、オーダー情報テーブル５７に情報を登録する。
【００４７】
患者のプロフィール情報がある場合は、患者マスタにひも付けし、注意事項テーブル１０５に登録される。
また、ＨＩＳが接続されていないなど、ＨＩＳからの検査オーダーを受信できない場合は、前述の部門内検査オーダー画面１０１を起動し、部門内でオーダーの発行が可能である。
【００４８】
図１９は、検査中止画面６９を示す図である。
検査を中止したい場合は、前述の検査中止画面６９を起動する。検査中止画面６９からは、中止の指示者１１９、中止日１２０、中止理由１２１が入力でき、それぞれ、データベース２１内の検査テーブルに登録がなされる。又、検査テーブル上の検査のステイタスは、検査中止の状態に変更される。
検査中止においては、以下の条件で制御を行う。
（１）中止が可能であるのは、撮影の開始前までとする。
（２）検査中止は、検査オーダーのキャンセルとは処理が異なり、検査オーダーの取り消しとはしない（検査の一覧表からは削除しない）。
（３）患者の受付処理後、または、検査の締め切り時間後は、ＨＩＳからの検査オーダーの修正、キャンセルは、不可能とする（検査中止が可能）。
【００４９】
このような形とするのは、検査の依頼医と検査スタッフとに情報のずれを生じさせないようにするためである。
検査が始まってしまってから、検査オーダーが修正されたり、検査オーダーが中止されたりしたことが、伝達されない等を防ぐためである。
＜ステップ２（Ｓ２）＞
本システムでは、受信した検査予約情報を元に予約の管理を行い、前述のように予定されている検査一覧を各状態にあわせて表示することが可能である。依頼内容の紹介を行うには、オーダー詳細確認画面６８を起動する。
【００５０】
図２０は、オーダー詳細確認画面６８を示す図である。
受付端末２、入力／検査端末３は、ともに共通のソフトウェアを搭載しており、受付端末２、入力検査端末３のどちらからでも、（もしくは検索端末４からでも）この画面照会が可能である。
【００５１】
オーダー詳細確認画面６８は、主に、患者基本情報の表示エリア１０２、依頼元情報の表示エリア１０３、オーダー情報の表示エリア１０４、患者プロフィール情報の表示エリア１０５、過去検査の表示ボタン１０６から構成され、データベース２１から取得した各情報がそれぞれ表示される。
【００５２】
患者プロフィール情報は、データベース２１内の注意事項テーブル１０５から取得表示されるが、表示はオーダー情報が発行された時点の情報と、最新の取得情報１０８との２つが、取得の日時とともに表示される。これは、検査オーダーの発行日から実際の検査日までに期間がある場合、検査オーダーの発行時点から、検査日までに患者プロフィール情報の変更が発生している可能性が考えられるためである。
【００５３】
また、患者プロフィール情報１０５の個々の表示においても、それぞれ、状態１０９、名称（感染症、アレルギー情報、注意事項、障害情報、等）１１０、とともに検査の日付情報１１１が表示され、情報のタイムラグについて確認することができるようになっている。これらの各患者プロフィール情報は、データベース２１内の注意事項テーブルから取得、表示している。
【００５４】
また、患者プロフィールの状態表示１０９には、「＋」、「あり」、「−」、「なし」という結果がはっきりと判明しているもの以外に、「？」、「不明」、「未検査」、「未入力」という状態表示が容易され、状態を必ず表示するようにしている。
よって、「  」のように表示がない時、「−」や「なし」であるのか、情報がないだけで、「−」や「なし」と判断してはいけないのか等、誤解を生じ易い状況を防ぐようにした。
＜ステップ３（Ｓ３）＞
次に、検査の前に、患者に対して麻酔等の検査前処置を行う際に使用する画面の説明を行う。
【００５５】
図２１は、前処置入力画面７８を示す図である。
前処置入力を行うには、前処置入力画面７８を起動する。
この前処置入力画面７８も受付端末２、入力検査端末３のどちらからでも（もしくは検索端末４からでも）表示が可能である。
【００５６】
前処置入力画面７８は、主に、患者基本情報の表示エリア１１２、検査オーダー情報の表示エリア１１４、アレルギー情報や疾患・注意事項等の注意事項の表示エリア１１３、前処置情報の入力を行う前処置実施内容表示エリア１１５とで構成される。
データベース２１内の前処置テーブル１１６から取得した前処置に関する各情報が表示され、また、前処置において実施した項目（投薬の内容）が追加入力可能である。データベース２１内の薬剤マスタ１５４から選択候補を取得し、ウィンドウに表示し、選択を行うことで、前処置テーブル１１６に選択した薬剤情報を登録することができる。ここで入力した情報は、データベース２１内の前処置テーブル１１６から後に取得され、検査実施情報とともに、ＨＩＳへ送信され、会計に使用される。
【００５７】
前処置の指示医１１７、実施者１１８を入力し、前処置の確認・入力が完了したならば、登録ボタン６５を押すことで、情報をデータベース２１に登録することができる。また、前処置が完了したとして、検査テーブル６５上に管理される検査ステイタスは、前処置済みとなる。
【００５８】
また、前処置の実施の際等に追加で判明した患者の注意事項（プロフィール情報）は、受信した注意事項（患者プロフィール情報）に対して修正することができる。
図２２は、注意事項（患者プロフィール情報）の修正ウィンドウ１２３を示す図である。
【００５９】
前処置画面７８上の修正ボタン１２２を押すと、図２２に示すような注意事項（患者プロフィール情報）の修正ウィンドウ１２３が開く。
ここで表示される注意事項のチェックボックス１２４にチェックをＯＮ／ＯＦＦすることで、情報の修正登録が可能である。修正された情報は、最新情報として、データベース２１内の注意事項テーブル１０５に登録される。但し、チェックをＯＮする場合はよいが、チェックをＯＦＦする場合は、ユーザＩＤおよびパスワードの入力を求め、スタッフマスタ５６との認証を行うとともに、記録として残すようにした。これは、注意事項を追加してより注意する方向にはよいが、注意事項を外すことによって、本来注意すべき内容に注意が払われないことを防ぐためのものである。
＜ステップ４（Ｓ４）＞
次に、図１８のステップ４に示す撮影時の動作について説明する。
【００６０】
図２３は、撮影画面８３を示す図である。
前述の撮影画面８３を起動することで、撮影を行うことができる。この撮影画面は、各画面の左部で表示している患者情報、検査オーダー情報に加え、右部に検査室／検査装置情報１２５、撮影画像情報１２６、検査実施情報入力エリア１２７、が表示される。
【００６１】
この画面が表示されると、検査室に設置されている入力／検査端末３上に、患者情報が送信され、接続されている電子内視鏡装置１４上に、患者情報が表示される。
さらに、入力／検査端末には、磁気カードリーダー１２が接続されているため、患者の磁気カードを挿入し、患者基本情報を入力することで、検査一覧の中から、入力された患者基本情報と一致するものを照合し、自端末への検査の割り振り（引き込み）制御を自動で行うことも可能である。
【００６２】
このように検査装置患者情報の送信が完了すれば、実際に検査の実施が可能状態となり、撮影ボタン６８を押すことで、撮影を開始することができる。
撮影画像表示エリア１２６には、電子内視鏡装置１４にてレリーズが行われる毎に撮影された画像の縮小画像が順次表示されるようになっている。
【００６３】
レリーズ時、撮影された画像は、先ず圧縮伸張装置１３に取り込まれ、画像の圧縮処理が行われる。圧縮画像は患者基本情報とともに、圧縮伸張装置１３内のメモリに一時記録されるとともに、ＬＡＮカードを経由してサーバ５に転送される。もしも、ケーブルの断線等で、画像の転送に失敗するような場合でも、圧縮伸張装置１３内のメモリに画像を一時記憶可能なため、撮影は中断することなく実施が可能である。
【００６４】
また、入力検査端末３のパソコン８内に転送された画像はハードディスク３５内に一時記録され、同時にサーバ５内のハードディスク２４内へ転送される。ここでも、ケーブルの断線等で、画像の転送に失敗するようなことがあっても画像データは、入力／検査端末３のハードディスク３５内に記憶されているため、撮影等の中断を防ぐことが可能である。
【００６５】
前述の縮小画像７１は、このハードディスク３５に記録された圧縮画像３６を伸張表示することによって表示を行っている。
そして、電子内視鏡装置１４上の検査終了ボタンが押されたことで、撮影処理が終了し、データベース２１内の検査テーブル６５に管理されている検査のステイタス情報は、撮影終了状態となる。
【００６６】
以上の検査における撮影動作の制御は、入力検査端末３上のメインアプリケーションソフト２７の検査業務ＤＬＬ２９にて制御されている。
撮影された画像は、検査テーブル６５上の検査に紐付けられた形で、画像管理テーブル１２８上に保存位置を示すポインタ情報が登録される。
【００６７】
また、この撮影画面において、後述するレポートに添付する画像として、特徴的な代表画像を選択し、登録することができ、選択・登録された画像の縮小画像上には、１３６に示すように、臓器名が添付される。
図２４は、選択メニュー１３７の表示を示す図である。
【００６８】
選択したい画像をマウスでクリックすると、図２４の選択メニュー１３７が表示され、臓器の指定１３９を行うことで、画像上部に指定した臓器名が表示される。１３６は、"胃"を指定した状態である。ここで指定した臓器名情報は、データベース２１内の選択画像テーブル１３８内に画像番号とともに登録される。
【００６９】
このように、選択した画像に対して臓器名を登録しておくことで、後から参照した場合であっても、どの臓器（部位）の画像であったかがわかる。特に、大腸や気管支鏡検査の場合、撮影される画像の特徴が似ているため、撮影時点で、臓器（部位）名を登録しておくことが有効である。さらに、保険請求上、どの臓器（部位）に対して検査を実施したのか、処置や手術を行ったのかで点数が変化するため、会計処理の際、登録情報が有効になる。さらに、レポート上で、画像を各臓器（部位）毎に分けて表示する等の場合にも、この臓器名の情報が不可欠となる。
【００７０】
また、個々の画像に対しては、コメントを入力することができ、選択メニュー１３７上のコメント入力１４０を指定することで、コメント入力用のウィンドウが開き、コメント入力が可能である。ここで入力されたコメントは、データベース２１内の画像情報テーブル１４１に登録される。
【００７１】
さらに、選択メニュー１３７は、縮小画像を選択し、画像表示１４１を指定することで、原寸大の原画像を表示したり、プリンタ出力／出力解除１４２を指定したりすることにより、ビデオプリンタへの出力する画像の指定ができる。
画像表示１４１が指定された場合は、サーバ５内の圧縮画像２２が取得／伸張処理され、原画像の表示が行われる。又、ビデオプリンタの出力の指定が行われた場合は、データベース２１内の選択画像テーブルに登録が行われ、撮影画面上のビデオプリンタ印刷ボタン１４３を押すことで、ビデオプリンタ出力の選択がされている画像の印刷を行うことができる。
【００７２】
次に、図１８のステップ５に示す実施情報の入力時の動作について説明する。
＜ステップ５（Ｓ５）＞
図２５は、実施入力画面８９を示す図である。
前述の実施入力画面８９を起動することで、実施情報の入力を行うことができる。この実施入力画面は、各画面の左部で患者情報、検査オーダー情報を表示するのに加え、右部で検査における実施内容（実施医１４４、看護師１４５、手技１４６、加算１４７、薬剤１４８、器材１４９、スコープ１５０）の登録が可能となっている。
【００７３】
また、前処置入力へのボタン１５６を押すことで、前処置入力画面７８を開くことができる。
各ボタン１４４〜１５０を押すことで、各情報の入力用ウィンドウが開き、登録する実施情報の選択入力が可能となっている。
（１）実施医
データベース２１内のスタッフマスタ５６から選択候補を取得し、ウィンドウに表示し、選択を行うことで、実施テーブル１３４に選択した実施医情報を登録することができる。
【００７４】
但し、撮影画面８３にて、既に実施医情報が登録されている場合は、実施入力画面を開いた時点で、その情報を表示することが可能である（また、本画面からの変更登録も可能である。）。
（２） 看護師
データベース２１内のスタッフマスタ５６から選択候補を取得し、ウィンドウに表示し、選択を行うことで、実施テーブル１３４に選択した看護師情報を登録することができる。
（３） 手技
データベース２１内の手技マスタ１５１から選択候補を取得し、ウィンドウに表示し、選択を行うことで、実施テーブル１３４に選択した手技情報を登録することができる。
（４） 加算
データベース２１内の加算マスタ１５３から選択候補を取得し、ウィンドウに表示し、選択を行うことで、実施テーブル１３４に選択した加算情報を登録することができる。
（５）薬剤
データベース２１内の薬剤マスタ１５４から選択候補を取得し、ウィンドウに表示し、選択を行うことで、実施テーブル１３４に選択した薬剤情報を登録することができる。
【００７５】
但し、前処置画面７８にて、既に前処置時の薬剤情報が登録されている場合は、実施入力画面を開いた時点で、その情報を表示することが可能である（前処置時に投与した薬剤と、検査実施時に投与した薬剤とは区別するため、本画面からの変更登録はできない。）。
（６） 器材
データベース２１内の器材マスタ１５２から選択候補を取得し、ウィンドウに表示し、選択を行うことで、実施テーブル１３４に選択した器材情報を登録することができる。
（７）スコープ
データベース２１内のスコープマスタ１５５から選択候補を取得し、ウィンドウに表示し、選択を行うことで、検査スコープテーブル１３５に選択したスコープ情報を登録することができる。
【００７６】
但し、撮影画面８３にて、既にスコープ情報が登録されている場合は、実施入力画面を開いた時点で、その情報を表示することが可能である（また、本画面からの変更登録も可能である。）。
このようにして、各実施情報を選択入力し、情報の登録を行うと、実施情報の入力が完了し、データベース２１内の検査テーブル６５内に管理されている検査ステイタスの状態は、実施入力完了状態となる。
【００７７】
また、入力された実施情報は、ＧＷ１により前処置入力画面７８で入力された前処置情報とともに、ＬＡＮを通してＨＩＳに送信が行われる。ＨＩＳでは、この前処置情報、検査実施情報をもとに会計処理を行い、保険請求点数等の計算処理を行うことが可能である。
【００７８】
但し、この前処置情報と検査実施情報の送信に伴って、ＨＩＳでの会計処理が実施されるため、前処置情報や検査実施情報の変更／修正入力が行われても、既に会計処理済みの場合が生じる。よって、前処置画面７８および実施入力画面８９にて、一度登録した情報の変更入力がされ、修正登録がされようとする場合は、既に会計済みの可能性がある旨のメッセージを表示し、通知するようにしている。
【００７９】
次に、図１８のステップ６に示すレポート入力時の動作について説明する。
＜ステップ６（Ｓ６）＞
図２６は、レポート入力画面９４を示す図である。
図２６に示すような前述のレポート入力画面９４を起動することで、レポートの入力を行うことができる。このレポート入力画面９４は、各画面と同様に左部で患者情報、検査オーダー情報を表示するのに加え、右部で検査レポートの内容（所見および処置１５６、診断１５７、コメント１５８）の登録が可能となっている。
（１）所見および処置
データベース２１内の用語マスタ１５９から選択候補を取得し、ウィンドウに表示し、選択を行うことで、実施テーブル所見用語情報テーブル１６０および処置用語情報テーブル１６１に選択した所見用語および処置用語を登録することができる。
（２）診断
データベース２１内の用語マスタ１５９から選択候補を取得し、ウィンドウに表示し、選択を行うことで、診断用語情報テーブル１６２に選択した診断用語を登録することができる。
【００８０】
所見および処置、診断の選択候補として表示するウィンドウは共通の動作をする。
図２７は、所見入力の例を示す図である。
図２７の用語ウィンドウ１６３は、食道における用語の表示例であり（用語は内視鏡標準用語であるＭＳＴを使用している）、レポート入力画面９４上の食道ボタン１６２を押すことで表示される。
【００８１】
図２８は、用語ウィンドウ１６４を示す図である。
図２８に示す用語ウィンドウ１６４は、ウィンドウ１６３上の選択用語の１つである狭窄１６５を選択した際に開いたウィンドウであるが、例えば、ＭＳＴの階層にしたがって、
（臓器）−（用語のグループ）−（所見用語）−（属性のタイトル）−（属性値）−食道−内腔−狭窄−スコープ通過−可能
という内容を入力したいとした場合、ウィンドウ上の入力手順は、次のようになる。
手順１  食道ボタン１６２を押すと、ウィンドウ１６３が表示される。
手順２  ウィンドウ１６３上の、狭窄１６５を選択すると、ウィンドウ１６４が表示される。
手順３  ウィンドウ１６４上のスコープ通過"可能"のチェックボックス１６６にチェックをつける。
【００８２】
このように、２階層同時に１つのウィンドウで表示する構成としたため、選択の手順は、３回で済む形となる。従来階層に従ってツリーを選択し、入力をしていたが、この場合は５回の入力を要していた。
また、各臓器（部位）に対しての入力を行っても良いが、各臓器（部位）ともに、正常である場合を考慮して、"全て正常"というメニューを用意してもよい。この場合は、１回のメニュー選択により、各臓器（部位）に対して、"正常"との入力が可能である。
（３）コメント
図２９は、コメントメニュー１６８を示す図である。
【００８３】
コメントボタン１６７を押すことで、図２９に示すような入力したいコメントの種類を決定するためのコメントメニュー１６８が表示され、コメントメニュー１６８上の選択肢を指定することで、テキスト情報の入力用ウィンドウが開き、各種コメント入力を行うことができる。入力されたコメント情報は、データベース２１内の病変テーブル１６８に登録される。
【００８４】
図３０は、検査後指示１６９を指定した場合の例を示す図である。
選択候補ウィンドウ１７０の選択候補エリア１７１には、データベース２１内の用語マスタ１５９から呼び出された定型文が表示され、この定型文の選択によりテキスト情報入力エリア１７２にセットされる。このテキスト情報入力エリア１７２内の情報は、フリーテキストにて編集可能である。
【００８５】
また、この選択候補ウィンドウ１７０上には、ＦｏｌｌｏｗＵｐ期間（次回検査予定日）の指定エリア１７３が設けられ、チェックボックス１７４をチェックし、ＦｏｌｌｏｗＵｐ予定の期間１７５を選択入力することができる。
ここで、入力された、フリーテキストの検査後指示情報およびＦｏｌｌｏｗＵｐ期間情報は、データベース２１内の病変テーブル１６８に登録される。
【００８６】
特に、ＦｏｌｌｏｗＵｐ期間情報は、このように選択式で、情報を登録しておくため、後に検索を行い、ＦｏｌｌｏｗＵｐが必要な患者の一覧を表示することが可能となる。
また、各レポート情報（１）〜（３）は、撮影／記録を行った画像を参照しながら入力することができる。
【００８７】
レポート入力画面９４（図２６参照）の左上部にある、表示情報の切替ボタン１８１を押すと、画面左部の患者情報および検査オーダー情報を表示しているエリアを切り替え、レポートに添付として選択した画像を表示することができる。
図３１は、表示情報の切替ボタン１８１（図２６参照）を押し、表示を切り替えた状態を示す図である。
【００８８】
撮影画面８３にてレポートに添付として選択された画像のポインタ情報が、データベース２１内の選択画像テーブル１３８内に管理されているため、それを参照することで、レポート添付画像１８２を表示することができる。これらのレポート添付画像が、レポート情報の入力エリアに重ならずに表示可能であるため、画像を参照しながらのレポート情報の入力が可能である。
（４）シェーマ
図３２は、シェーマ画像の編集ウィンドウ１８４を開いた状態を示す図である。
【００８９】
レポート入力画面９４の上部にあるシェーマ選択ボタン１８３を押すことで、シェーマ画像の編集ウィンドウ１８４を開くことができる。シェーマウィンドウ１８４は、主にレポート添付画像の表示エリア１８５、シェーマ表示エリア１８６、編集用ボタン１８７とからなり、シェーマ表示エリアに表示するシェーマの種類は、シェーマ画像ボタン１８８を押すことで選択肢が表示され、所望の種類のシェーマ表示が選択可能である。
【００９０】
選択したシェーマの種類は、データベース２１内の選択シェーマテーブル１８９に登録される。また、選択したシェーマに対しては、編集用ボタン１８７を押すことで、編集用のツールが選択でき、直線、矢印、長方形、楕円、テキスト文、等による編集が可能である。シェーマに加えた編集内容は、シェーマとは独立して管理され、データベース２１内のシェーマ編集テーブル１９０に登録が行われる。
【００９１】
さらに、シェーマ取り込みボタン１９１を押すことで、外部画像をシェーマとして取り込みを行うことができ、フレキシブルディスク（登録商標）やＭＯディスク等のオフラインメディアを指定しての画像取り込みが可能である。
図３３は、シェーマ取り込みボタン１９１を押し、外部画像取り込み用ウィンドウ１９２を開いた状態を示す図である。
【００９２】
外部画像を取り込むドライブ、フォルダを指定するボックスにて、取り込み先を選択することで、指定した取り込み先に保存されている画像の一覧１９４が表示されるようになっており、一覧の中からシェーマとして取り込みたい画像を選択することで、取り込みが可能となっている。取り込みが行われた画像は、サーバ５内のハードディスク２４に格納され、ポインタ情報は、データベース２１内の選択画像テーブル１９５に登録される。このように取り込みが完了すると、レポート入力画面９４の下部に外部画像アイコン１９６が表示される。このアイコン１９６を押すと、取り込んだ外部画像が表示され、参照が可能である。
【００９３】
このようにしてレポート情報の入力を終えると最後にレポート入力画面９４上の右下部にある登録ボタン１７６を押すことで、入力した各レポート情報を登録完了することができる。
図３４は、認証ウィンドウ１７７を示す図である。
【００９４】
登録ボタン１７６を押した際には、図３４に示す認証ウィンドウ１７７が表示し、送信者のユーザＩＤとパスワード１７９を入力することで認証を行う。データベース２１内のスタッフマスタ５６に登録されているスタッフのユーザＩＤとパスワードと入力情報が一致しているかを確認することで、認証が行なわれる。
【００９５】
また、認証ウィンドウ１７７上には、レポートステータス１７８を入力するためのラジオボタンが配置され、このレポートステータスの、中間／最終を選択することで、レポートが中間であるのか、最終レポートであるのかを区別して登録することができる。
さらにレポートは上書き登録を禁止し、中間レポートの１版、２版、３版、・・・、最終レポートの１版、２版、３版、・・・というように、版管理を行う（履歴管理をする。）。
【００９６】
データベース２１内のレポート管理テーブル１８１に各レポート情報にリンクしたポインタ情報が管理され、レポートを構築可能となっているが、このレポート管理テーブル１８１上に前述のレポートステータスとバージョンが管理され、各レポートの上書きなく、履歴を管理することが可能である。
＜ステップ７（Ｓ７）＞
このように、送信したレポート情報は、内視鏡部門のシステム内で参照可能となるとともに、ＧＷ１によりＬＡＮを通してＨＩＳに送られ、ＨＩＳの電子カルテシステムにおいても参照が可能となる。
【００９７】
さらに、レポートの登録、送信にあわせ、レポート情報を基にして、病理オーダーの発行（ステップ１０（Ｓ１０））を行ってもよい。病理オーダーを発行した場合は、データベース２１内の病理オーダー管理テーブル１９８にその情報を登録し、病理オーダーに添付した画像を病理画像テーブル１９９に登録する。さらに、病理オーダーが発行されたことを示すアイコン１９７を、レポート画面９４の下部に表示する。
【００９８】
また、レポートを再登録／送信して、版数が上がる場合、病理オーダーも同様に再送信が必要かは一意ではない。
よって、レポート入力画面上部に、病理オーダーを合わせて送信するか否かを決定するチェックボックス２００を設け、チェックボックス２００にチェックがつけられた時のみ、病理オーダーを合わせて発行するように制御している。
次に記録・保存した画像およびレポート情報の参照および編集の方法について説明する。
【００９９】
図３５は、システム起動・終了画面１０１にて、カンファレンスアイコン５３を選択し、ログインした際に起動するカンファレンス画面２０１を示した図である。
画面左部には、所望の検査を検索するための検索ボタンのグループ２０２が用意されており、これらのアイコンを選択することで、所定の条件により、データベース２１内が検索され、検索結果が検査一覧２０３として表示される。
【０１００】
検索ボタンのグループ２０２には、今日、１週間、２週間、レポート未登録、病理依頼検査、条件検索といったボタンが用意され、例えば１週間ボタンを押すことで過去１週間以内に実施された検査の一覧がリスト表示され、例えば、条件検索ボタンを押した場合には、各種の入力条件にて絞り込み検索を行った結果、該当する検査の一覧が２０３に表示される。
【０１０１】
このようにして、一覧表示表示した検査２０３のうちの１つをクリックすると、画像を表示するか、レポートを表示するかを選択するメニューが表示されるため、どちらかを選択し、画像またはレポートの表示画面を起動する。
図３６は、メニューから「画像表示」を選択し、起動した画像表示画面２０４を示す図である。
【０１０２】
レイアウトは、撮影画面と類似しているが、検査実施情報（実施医、使用スコープ、撮影開始／終了時間、等）の入力機能がない点で異なっている。
また、カンファレンス用に機能が追加されており、患者変更ボタン２０５を押すことで、一覧表示した検査２０３の中で、前の／次の検査の画像を表示することができる。
【０１０３】
また、選択した画像を、フレキシブルディスクや、ＭＯディスクにコピーするための機能が用意されており、画像の選択後、画像コピーボタン２０６を押すことで、コピー先、形式等を指定するウィンドウが開くことができる。
また、画像のコピーの際には、図３４に示すような形（レポートステータスの入力エリアはない）で、ユーザとパスワードを認証し、画像持ち出しのセキュリティを確保している。
【０１０４】
画面上部には、レイアウトの変更用に、レポート表示ボタン２０７、画像比較表示ボタン２０８、過去検査同時表示ボタン２０９、が用意されており、それぞれのボタンを押すことで、画面のレイアウトを次のように変更することができる。
（１）レポート表示ボタン２０７を押すと、レポート入力画面９４が開く（複数の医師間でのカンファレンスを行った結果、検査結果（レポート）情報を編集する必要があれば、変更しての入力が可能である。この場合、編集された情報は、バージョン管理がなされ、変更前の情報とは、別の版数で管理される。）。
【０１０５】
図３７は、画像比較表示ボタン２０８を押した際のレイアウト表示例を示す図である。
（２）画像比較表示ボタン２０８を押すと、図３７に示すレイアウトとなり、画像の比較表示が可能である。
図３８は、過去検査同時表示ボタン２０９を押した際のレイアウト表示例を示す図である。
（３）過去検査同時表示ボタン２０９を押すと、  図３８に示すレイアウトとなり、同一患者の過去の検査の画像群と同時に表示を行うことが可能である。
【０１０６】
以上の制御は、検索端末４（もしくは入力検査端末３）上のメインアプリケーションソフト２７のカンファレンスＤＬＬ３０にて制御されており、表示情報はデータベース２１から呼び出されまた、編集入力された各種情報は、データベース２１に登録される。また、この編集情報は、受付ＧＷ１上の受付処理アプリケーションソフト２０によって、ＨＩＳへ転送される点も同様である。
【０１０７】
次に統計・履歴機能の代表的機能であるスコープ履歴機能について説明する。
図３９は、システム起動・終了画面１０１にて、統計・履歴アイコン５４を選択し、ログインした際に起動する統計・履歴画面を示した図である。
画面左部には、各統計・履歴機能選択用のアイコン群２１１が用意されており、月報／年報／実施一覧（日報）の出力機能、データのＥＸＣＥＬ形式での出力機能、前述のＦｏｌｌｏｗＵｐ患者のＦｏｌｌｏｗＵｐ期間（予定日）による検索機能、スコープ履歴表示機能が動作する。
【０１０８】
この図３９では、さらに、画面左部のアイコン群の中から、スコープ履歴アイコン２１０を選択した状態を示している。
スコープ履歴アイコン２１０が選択されると、画面右部には、スコープ名と共に、管理番号、シリアルＮｏ．、使用開始日、使用回数、使用時間、保険請求合計額（参考値）のリストが表示される。これらは、データベース２１内の検査スコープテーブル１３５とスコープマスタ１５５から呼び出した情報を表示したものである。
【０１０９】
撮影画面８３または、実施入力画面８９にて、検査での使用スコープが登録され、また、撮影画面８３にて検査開始／終了時間が登録され、さらに、実施入力画面８９にて、検査で実施した検査の手技情報が登録されていることから、各スコープの使用開始日、使用回数、使用時間、保険請求合計額は、算出が可能となっている（手技マスタ１５１には、各手技に対する保険点数が登録されている）。
【０１１０】
次に管理機能の代表的機能であるオーダー照合・統合機能について説明する。
図４０は、システム起動・終了画面１０１にて、管理機能アイコン５５を選択し、ログインした際に起動する管理機能画面を示した図である。
画面左部には、各管理機能選択用のアイコン群２１２が用意されており、オーダー照合・統合機能、アカウント設定機能、マスタ設定機能、オプション機能が動作する。
【０１１１】
アカウント設定機能は、本システムのユーザアカウントの登録、変更、削除やユーザレベル、権限に関する設定を行うことができ、データベース２１内のスタッフマスタ５６の内容にアクセス可能となっている。
マスタ設定機能は、各マスタ検査種別、検査項目、手技、加算、薬剤、器材などの登録、変更、削除を行うことができ、データベース２１内の検査種別マスタ２１３、検査項目マスタ２１４、手技マスタ１５１、加算マスタ１５３、薬剤マスタ１５４、器材マスタ１５２、注意事項マスタ２１５、スコープマスタ１５５、用語マスタ１５９の内容にアクセス可能となっている。
【０１１２】
オプション機能は、任意のアプリケーションを設定しておくことにより、設定したアプリケーションをアイコンの選択により起動できる機能である。
この図４０では、さらに、画面左部のアイコン群２１２の中から、オーダー照合・統合アイコン２１３を選択した状態を示している。
【０１１３】
オーダー照合・統合アイコン２１３が選択されると、画面右部には、前述の部門内オーダー登録画面１０１にて発行された部門内オーダーと、オーダーがない状態で観測装置１４にて検査を開始した画像のみ検査との一覧２１４が表示されている。これらは、データベース２１内の検査テーブル６５に管理されている検査のステイタス情報を参照し、表示が可能となっている。
【０１１４】
部門内オーダーは、ＨＩＳからのオーダー情報を受信できない場合に、自システムの中で検査オーダーを発行するために使用されるが、ＨＩＳからの正式なオーダーを受信した後で、部門内オーダーと正式オーダーの照合を行い、一体化させることができる。具体的には、部門内オーダーにひも付けられていたの各種のリンク情報で、かつオーダー情報テーブル５７以外のテーブル内の情報を、正式オーダーに紐付けることで、照合を行うことができる。画像のみ検査とオーダーとの照合、画像のみ検査の他のオーダーへの統合も同様である。
【０１１５】
図４１は、図４０の一覧２１４の中から照合・統合を行いたい検査をクリックし、選択した際に起動するオーダー照合・統合画面を示す図である。
画面左部には、選択した照合・統合したい検査の検査情報２１５が表示され、画面右部には照合・統合の候補一覧２１６が表示される。ここで、照合・統合先の検査を１つ選択し、チェックボックスにチェックつけ、照合・統合ボタン２１７を押すことで、照合・統合が完了する（照合・統合前の検査にひも付いていた各種テーブルのリンク情報が、照合・統合先のオーダーに紐付けされる。）。
【０１１６】
以上のように本第１の実施の形態では、撮影画面にて画像選択時に、臓器（部位）の選択入力ができるようにしたため、撮影時または撮影直後にどの臓器（部位）の画像かを入力でき、より正確にかつ効率よく入力を行うことができる。
さらに、撮影画面で入力された臓器（部位）の情報を利用し、実施情報の自動入力（表示）を行うようにしたため、より正確に、かつ効率よく、実施情報の入力および会計処理が可能である。
【０１１７】
さらに、撮影画面で入力された臓器（部位）の情報を利用し、レポート入力画面で、画像を臓器（部位）毎に分けて表示できるようにしたため、より正確でかつ効率のよいレポート入力が可能である。
次に、図４２乃至図６３を用いて、第２の実施の形態乃至第４の実施の形態について説明する。
【０１１８】
第２の実施の形態乃至第４の実施の形態は、上述の第１の実施の形態と同様であるので、異なる点についてのみ説明する。
まず、図４２乃至図５２を用いて、第２の実施の形態について説明する。
本第２の実施の形態における内視鏡検査マネージメントシステムのハードウェア構成は、図１を用いて説明した第１の実施の形態と同様であり、院内システムとのデータ交換を行う為のＧＷ（ゲートウエイ）１と、検査を実施する入力／検査端末３と、画像や各種情報を入力・表示を行う検索端末４と、データの記録管理を行うサーバ５は、ＨＵＢ７を介して、ネットワーク（ＬＡＮ）接続されている。
【０１１９】
また、本第２の実施の形態における内視鏡検査マネージメントシステムのソフトウェア構成は、図２を用いて説明した第１の実施の形態と同様であり、各装置内のハードディスク内には、各種アプリケーションソフト、データベースがインストールされ、動作するようになっている。
【０１２０】
検索端末４においては、検査業務ＤＬＬ（ダイナミックリンクライブラリ）２９、カンファレンスＤＬＬ３０、統計・履歴ＤＬＬ３１、管理機能ＤＬＬ２８がメインアプリケーションソフト２７から呼び出され起動する。サーバ５には、検査情報のデータベース２１、検査のレポート情報２３のファイル、圧縮画像２２のファイルが記録管理されている。
【０１２１】
図４２は、第２の実施の形態に関わる検査テーブルのテーブル／マスタの構成を示す図である。
患者の基本情報を管理する患者マスタと、実施情報を管理する実施管理テーブルと、レポート情報を管理するレポート管理テーブルとは、検査の情報の核となる検査テーブルにて関連付けられている。
【０１２２】
図４３は、第２の実施の形態に関わる実施管理テーブルに格納されるデータを示す図である。
実施日時、実施医、看護師を管理する実施管理テーブルと、実施した手技、使用した薬剤、器材、加算のコード、実施量、単位を管理する実施テーブルと、手技のコード・名称を管理する手技マスタと、薬剤のコード・名称を管理する薬剤マスタと、器材のコード・名称を管理する器材マスタと、加算のコード・名称を管理する加算マスタとで構成されている。
【０１２３】
図４４は、第２の実施の形態に関わるレポート情報を管理するテーブルを示す図である。
中間レポート３２４、および最終レポート３２５は、版数毎またはフェーズで管理されており、さらに病変テーブル、所見情報テーブル、診断情報テーブル、処置情報管理テーブルと関連付けて構成されている。
【０１２４】
図４５は、第２の実施の形態に関わる前処置を管理するテーブルを示す図である。
薬剤マスタと関連づけて管理する構成である。
図４６は、第２の実施の形態に関わる画像情報を管理するテーブルを示す図である。
画像の格納場所、画像枚数といった画像情報を管理する構成である。
【０１２５】
次に、本内視鏡検査マネージメントシステムの検査の流れについて説明する。
図４７は、内視鏡検査の業務フローを説明するための図である。
まず、ステップＳ３２のオーダー入力において、検査前に患者情報と検査依頼情報といったオーダー情報を入力する。
【０１２６】
ステップＳ３３の受付では、患者が到着したことを確認する到着確認を実施する。
ステップＳ３４のオーダー情報の参照では、事前に入力された、もしくは送信されてきたオーダー情報を画面にて確認する。
ステップＳ３４の前処置入力では、撮影前に行う薬剤の注射を実施した旨の情報の入力を行う。
【０１２７】
ステップＳ３６の撮影では、電子内視鏡装置１４を使用し、内視鏡画像の撮影を行う。
ステップＳ３７の実施入力では、実施した手技や薬剤、器材、加算といった会計情報に必要な情報を入力する。この入力した情報は、ＨＩＳへ実施情報として送信される。
ステップＳ３８のレポート入力では、内視鏡画像の撮影をした医師が中間レポートを入力する。
【０１２８】
ステップＳ３９の病理検査依頼では、病変と疑われる組織を採取し、病理部門での組織診断の依頼を行う。
ステップＳ４０のカンファレンスでは、医師らが集まり、症例の検討を実施するものである。その際、ステップＳ４１において病理検査結果の情報を参照し、病理の結果を確認する。
【０１２９】
そして、ステップＳ４２において、上記カンファレンスの結果を受け、医師が最終レポートを入力する。
本第２の実施の形態の動作について説明する。
電子内視鏡装置から撮影画像が記録され、検察端末の画面入力の説明に関しては、上述の第１の実施の形態と同様である。
【０１３０】
まず、本マネージメントシステムを起動すると、検査業務画面、カンファレンス画面、統計画面、管理画面が起動し、メインの検査業務画面では、検査オーダーの一覧が表示されるようになっている。撮影画面では、検査画像の原画表示、インデックス画像表示、レポートへの貼り付け選択、画像臓器名の入力／表示が可能となっている。
【０１３１】
図４８は、図４７のステップ３７において実施情報の入力を行う実施入力画面の例を示す図である。
図４８に示すように、実施入力画面３４３において、実施医３４４、手技３４５、加算３４６、薬剤３４７、器材３４８、スコープ情報３４９の各データ入力を行う。
【０１３２】
図４９は、図４７のステップ３８およびステップＳ４２において、レポートの所見、診断、処置情報の入力を行うレポート入力画面の例を示す図である。
図４９に示すように、レポート入力画面３５０において、臓器に対して、所見情報３５１、診断情報３５２、処置情報３５３の各データの入力を行う。
【０１３３】
図５０は、図４７のステップ３８およびステップＳ４２においてレポートを作成し、その登録を行う為の画面の例を示す図である。
図５０に示すように、レポートの情報を登録する画面３５４では、中間レポートの登録、あるいは、病理の結果を確認した後の最終レポートの登録を行う。このレポートの情報は、中間および最終のフェーズで管理を行っている。
【０１３４】
図５１は、本第２の実施の形態を実現するための処理機能の構成を示す図である。
データを格納したデータベース３５５と、データベース３５５からデータを検索する検索処理手段３５６と、診断用語を比較処理するための条件を設定する診断用語条件設定手段３５７と、処理結果を表示する処理結果表示手段３５８とから構成されている。
【０１３５】
本第２の実施の形態では、図５１に示すデータベース３５５に格納された図４４に示す中間レポート３２４および最終レポート３２５に、診断用語のコードが記録されている。そして、各診断用語において、例えば、「正常」から「癌」に変化した場合、データベース３５５から検索処理手段３５６にて検索を実行し、診断用語条件設定手段３５７にて、中間レポート３２４の「正常」と最終レポート３２５の「癌」とを比較する条件を設定し、検索処理した結果を処理結果表示手段３５８にて表示を実行する。
【０１３６】
図５２は、比較した結果を表示した例を示す図である。
図５２では、カンファレンス画面３５９にて、中間レポート３２４と最終レポート３２５で異なる診断が入力された場合、例えば「正常」から「癌」に診断が変更になった場合は、ユーザに通知（警告）するために  変更マーク３６０として、「！」を表示している。
【０１３７】
次に、図５３乃至図６１を用いて、第３の実施の形態について説明する。
図５３は、本第３の実施の形態を実現するための処理機能の構成を示す図である。
データを格納したデータタベース３６１と、データベース３６１からデータを検索する検索処理手段３６２と、検索するための条件を設定する検索条件設定手段３６３と、診断用語の比較判定を行う診断比較判定処理手段３６４と、診断比較判定処理手段３６４が比較判定した結果から正診率を統計処理する正診率統計処理手段３６５と、正診率統計処理手段３６５の結果を表示するグラフ表示処理手段３６５とから構成されている。
【０１３８】
本第３の実施の形態では、図５３に示すデータベース３６１に、図４３に示す実施管理テーブル、図４４に示すレポート管理テーブル、図４５に示す前処置管理テーブル、および図４６に示す画像管理テーブルが記録されている。
例えば、診断毎に、正診率を計算する場合は、検索条件設定手段３６３において、「診断」を設定する。そして、検索処理手段３６２は、「診断」のキーワードに基づいて、図４４に示す中間レポート３２４および最終レポート３２５の診断コードを診断比較判定処理手段３６４にて比較し、一致しているかどうか判定する。次に、診断の正診率を正診率統計処理手段３６５にて、統計処理し、グラフ表示処理手段３６６にて、グラフ表示を行う。
【０１３９】
図５４は、診断病名別に、正診率のグラフ化を行った例を示す図である。
図５５は、診断を行った部位別に正診率のグラフ化を行った例を示す図である。
図５６は、実施した手技別の正診率のグラフ化を行った例を示す図である。
図５７は、医師別に正診率のグラフ化を行った例を示す図である。
【０１４０】
図５８は、使用スコープ別に正診率のグラフ化を行った例を示す図である。
図５９は、検査時間別に正診率を行った例を示す図である。
図６０は、検査時の撮影枚数別に正診率のグラフ化を行った例を示す図である。
図６１は、検査時に、診断を行う際、病変部に行う染色の薬剤別に正診率のグラフ化を行った例を示す図である。
【０１４１】
なお、使用機器、前処置で使用する薬剤別にも同様にグラフ化を行うことができる。
次に、図６２および図６３を用いて、第４の実施の形態について説明する。
図６２は、本第４の実施の形態を実現するための処理機能の構成を示す図である。
データを格納したデータタベース３６１と、データベース３６１からデータを検索する検索処理手段３６２と、検索するための条件を設定する検索条件設定手段３６３と、診断の統計処理を行う診断統計処理手段３７５と、診断統計処理手段３７５の診断統計処理結果を表示するグラフ表示処理手段３６６とから構成されている。
【０１４２】
本第４の実施の形態では、図６２に示す検索条件設定手段６３にて、実施した「手術」を設定すると、図４３に示す実施管理テーブルに関連付けられた手技に関する情報と、図４４に示すレポート管理テーブルに関連付けられた診断情報から、例えば、１回日の手術から、２回目のフォローアップ検査を実施した際、２回目のフォローアップ検査の際の診断病名についての検索を検索処理手段３６２にて実施する。そして、実施した検査数に対する診断の割合を診断統計処理手段３７５にて処理し、その処理結果をグラフ表示処理手段３６６にてグラフ表示する。
【０１４３】
図６３は、手術などの手技に対する診断の割合をグラフ表示した例を示す図である。
以上本発明の実施の形態を図面を用いて説明してきたが、本発明は、上述した実施の形態に限定されるものではなく、本発明の要旨を変えない範囲において、種々の変更、改変等が可能である。
【図面の簡単な説明】
【０１４４】
【図１】本実施の形態の内視鏡検査マネージメントシステムのハードウェア構成を示す図である。
【図２】本内視鏡検査マネージメントシステムのソフトウェア構成を示す図である。
【図３】システム起動・終了における遷移を表す図である。
【図４】システム起動・終了画面１０１を示す図である。
【図５】サーバ５内のデータベース２１に管理されているテーブル／マスタの構成を示す図である。
【図６】検査業務アイコン５２を選択し、検査業務メイン画面５８が起動した図である。
【図７】検査業務メイン画面における遷移を表した図（その１）である。
【図８】検査業務メイン画面における遷移を表した図（その２）である。
【図９】検査業務メイン画面における遷移を表した図（その３）である。
【図１０】未到着一覧画面６０を示す図である。
【図１１】到着患者一覧画面７２を示す図である。
【図１２】前処理未登録一覧画面７６を示す図である。
【図１３】未撮影一覧画面８１を示す図である。
【図１４】実施未送信一覧画面８７を示す図である。
【図１５】レポート未送信一覧画面９２を示す図である。
【図１６】検査状況一覧画面９７を示す図である。
【図１７】部門内オーダー登録画面１０１を示す図である。
【図１８】検査の流れを示すフローチャートである。
【図１９】検査中止画面６９を示す図である。
【図２０】オーダー詳細確認画面６８を示す図である。
【図２１】前処置入力画面７８を示す図である。
【図２２】注意事項（患者プロフィール情報）の修正ウィンドウ１２３を示す図である。
【図２３】撮影画面８３を示す図である。
【図２４】選択メニュー１３７の表示を示す図である。
【図２５】実施入力画面８９を示す図である。
【図２６】レポート入力画面９４を示す図である。
【図２７】所見入力の例を示す図である。
【図２８】用語ウィンドウ１６４を示す図である。
【図２９】コメントメニュー１６８を示す図である。
【図３０】検査後指示１６９を指定した場合の例を示す図である。
【図３１】表示情報の切替ボタン１８１（図２６参照）を押し、表示を切り替えた状態を示す図である。
【図３２】シェーマ画像の編集ウィンドウ１８４を開いた状態を示す図である。
【図３３】シェーマ取り込みボタン１９１を押し、外部画像取り込み用ウィンドウ１９２を開いた状態を示す図である。
【図３４】認証ウィンドウ１７７を示す図である。
【図３５】システム起動・終了画面１０１にて、カンファレンスアイコン５３を選択し、ログインした際に起動するカンファレンス画面２０１を示した図である。
【図３６】メニューから「画像表示」を選択し、起動した画像表示画面２０４を示す図である。
【図３７】画像比較表示ボタン２０８を押した際のレイアウト表示例を示す図である。
【図３８】過去検査同時表示ボタン２０９を押した際のレイアウト表示例を示す図である。
【図３９】システム起動・終了画面１０１にて、統計・履歴アイコン５４を選択し、ログインした際に起動する統計・履歴画面を示した図である。
【図４０】システム起動・終了画面１０１にて、管理機能アイコン５５を選択し、ログインした際に起動する管理機能画面を示した図である。
【図４１】図４０の一覧２１４の中から照合・統合を行いたい検査をクリックし、選択した際に起動するオーダー照合・統合画面を示す図である。
【図４２】第２の実施の形態に関わる検査テーブルのテーブル／マスタの構成を示す図である。
【図４３】第２の実施の形態に関わる実施管理テーブルに格納されるデータを示す図である。
【図４４】第２の実施の形態に関わるレポート情報を管理するテーブルを示す図である。
【図４５】第２の実施の形態に関わる前処置を管理するテーブルを示す図である。
【図４６】第２の実施の形態に関わる画像情報を管理するテーブルを示す図である。
【図４７】内視鏡検査の業務フローを説明するための図である。
【図４８】図４７のステップ３７において実施情報の入力を行う実施入力画面の例を示す図である。
【図４９】図４７のステップ３８およびステップＳ４２において、レポートの所見、診断、処置情報の入力を行うレポート入力画面の例を示す図である。
【図５０】図４７のステップ３８およびステップＳ４２においてレポートを作成し、その登録を行う為の画面の例を示す図である。
【図５１】本第２の実施の形態を実現するための処理機能の構成を示す図である。
【図５２】比較した結果を表示した例を示す図である。
【図５３】本第３の実施の形態を実現するための処理機能の構成を示す図である。
【図５４】診断病名別に、正診率のグラフ化を行った例を示す図である。
【図５５】診断を行った部位別に正診率のグラフ化を行った例を示す図である。
【図５６】実施した手技別の正診率のグラフ化を行った例を示す図である。
【図５７】医師別に正診率のグラフ化を行った例を示す図である。
【図５８】使用スコープ別に正診率のグラフ化を行った例を示す図である。
【図５９】検査時間別に正診率を行った例を示す図である。
【図６０】検査時の撮影枚数別に正診率のグラフ化を行った例を示す図である。
【図６１】検査時に、診断を行う際、病変部に行う染色の薬剤別に正診率のグラフ化を行った例を示す図である。
【図６２】本第４の実施の形態を実現するための処理機能の構成を示す図である。
【図６３】手術などの手技に対する診断の割合をグラフ表示した例を示す図である。
【符号の説明】
【０１４５】
１      ＧＷ
２      受付端末
３      入力／検査端末
４      検索端末
５      サーバ
７      ＨＵＢ
１３      圧縮伸張装置
１４      電子内視鏡装置
【図１】
2005160661.tif 000003
【図２】
2005160661.tif 000004
【図３】
2005160661.tif 000005
【図４】
2005160661.tif 000006
【図５】
2005160661.tif 000007
【図６】
2005160661.tif 000008
【図７】
2005160661.tif 000009
【図８】
2005160661.tif 000010
【図９】
2005160661.tif 000011
【図１０】
2005160661.tif 000012
【図１１】
2005160661.tif 000013
【図１２】
2005160661.tif 000014
【図１３】
2005160661.tif 000015
【図１４】
2005160661.tif 000016
【図１５】
2005160661.tif 000017
【図１６】
2005160661.tif 000018
【図１７】
2005160661.tif 000019
【図１８】
2005160661.tif 000020
【図１９】
2005160661.tif 000021
【図２０】
2005160661.tif 000022
【図２１】
2005160661.tif 000023
【図２２】
2005160661.tif 000024
【図２３】
2005160661.tif 000025
【図２４】
2005160661.tif 000026
【図２５】
2005160661.tif 000027
【図２６】
2005160661.tif 000028
【図２７】
2005160661.tif 000029
【図２８】
2005160661.tif 000030
【図２９】
2005160661.tif 000031
【図３０】
2005160661.tif 000032
【図３１】
2005160661.tif 000033
【図３２】
2005160661.tif 000034
【図３３】
2005160661.tif 000035
【図３４】
2005160661.tif 000036
【図３５】
2005160661.tif 000037
【図３６】
2005160661.tif 000038
【図３７】
2005160661.tif 000039
【図３８】
2005160661.tif 000040
【図３９】
2005160661.tif 000041
【図４０】
2005160661.tif 000042
【図４１】
2005160661.tif 000043
【図４２】
2005160661.tif 000044
【図４３】
2005160661.tif 000045
【図４４】
2005160661.tif 000046
【図４５】
2005160661.tif 000047
【図４６】
2005160661.tif 000048
【図４７】
2005160661.tif 000049
【図４８】
2005160661.tif 000050
【図４９】
2005160661.tif 000051
【図５０】
2005160661.tif 000052
【図５１】
2005160661.tif 000053
【図５２】
2005160661.tif 000054
【図５３】
2005160661.tif 000055
【図５４】
2005160661.tif 000056
【図５５】
2005160661.tif 000057
【図５６】
2005160661.tif 000058
【図５７】
2005160661.tif 000059
【図５８】
2005160661.tif 000060
【図５９】
2005160661.tif 000061
【図６０】
2005160661.tif 000062
【図６１】
2005160661.tif 000063
【図６２】
2005160661.tif 000064
【図６３】
2005160661.tif 000065